(57)【要約】      （修正有）【課題】安価にかつトマト等の成育にしたがって安定した雨よけがはかれる。【解決手段】トマト等の茎部に１０００〜２５００ｍｍ長さの支柱３の下端側を土壌の地面に突き刺して垂設し、雨よけ等のために２５０〜４００ｍｍ径位の大きさの笠状の雨よけ具４をトマト等の成育に合わせて地面に突き刺した支柱３にそって順次上方へずらして移動して所定高さに固定可能に上記支柱３に装着するように形成した。笠状の雨よけ具４の中央部を開口したり、切欠したりしておいて支柱３に突き刺して支柱３に貫通状態に装着し、雨よけ具本体５と補助シート６との間に紐やバンド等の締め付け具７で雨よけ具４を所定高さに固定する。【選択図】図１
0003112771.tif 000002
【実用新案登録請求の範囲】
【請求項１】
トマト等の栽培物の茎部に１０００〜２５００ｍｍ長さの支柱の下端側を土壌の地面に
突き刺して立設可能とし、雨よけ等のために２５０〜４００ｍｍ径位の大きさの笠状の雨
よけ具をトマト等の成育に合わせて上記地面に突き刺した支柱にそって順次上方へずらし
て移動して所定高さに固定可能に上記支柱に装着するように形成したことを特徴とするト
マト等の栽培用雨よけ具。
【請求項２】
２５０〜４００ｍｍ径位のプラスチックシートの笠状の雨よけ具本体の中央部に５０〜
１５０ｍｍ径位のプラスチックシートの補助シートの中央付近を雨よけ具本体に接合して
雨よけ具を形成し、このようにして形成した笠状の雨よけ具の中央部を開口したり、切欠
したりしておいて支柱に突き刺して支柱に貫通状態に装着して上記接合した雨よけ具本体
と補助シートとの間に紐やバンド等の締め付け具で雨よけ具を支柱に所定高さに固定可能
とした請求項１に記載のトマト等の栽培用雨よけ具。
【請求項３】
周部に針金や竹材、合成樹脂材などのリング枠を取り付けた２５０〜４００ｍｍ径位の
軟質プラスチックシートの笠状の雨よけ具本体の中央部に５０〜１５０ｍｍ径位の軟質プ
ラスチックシートの補助シートの中央付近を雨よけ具本体に溶着して雨よけ具を形成した
請求項２に記載のトマト等の栽培用雨よけ具。
【請求項４】
笠状の雨よけ具本体の周部にレインコートのように所定の長さに垂れ部を設けた請求項
１ないし３のいずれかに記載のトマト等の栽培用雨よけ具。
【考案の詳細な説明】
【技術分野】
【０００１】
本考案は、農作物分野におけるトマト等の栽培用雨よけ具に関するものである。
【背景技術】
【０００２】
トマトの栽培には、ハウス栽培、アーチ栽培、水耕栽培、露地栽培などがあり、それぞ
れに改良技術が開発されている。
【０００３】
しかし、ハウス栽培、アーチ栽培、水耕栽培には設備費用がかかり、家庭菜園者等にと
っては費用の負担が多くて実施できないものであった。
【０００４】
露地栽培は、露地を利用するので、設備費用がかからない利点があるが、トマトの大敵
が雨であるために新芽や新葉がウィルスにかかりやすく、またアブラムシ等によって伝播
されたりして、リスクが高いものである。そのため、雨よけ対策が必要であった。
【０００５】
そこで、先行特許調査をした結果、実用新案登録第３０９２６２２号公報等が検索され
た。この考案は、栽培用保温装置に係るものであるが、支柱の上端部に開閉可能に傘体を
備え、支柱の下端側を土壌の地中に差し込み、その差し込み深さを可変として傘体と地面
との間や傘体間の幅調整して温度調節や通気を容易にすることが提案されている。しかし
、傘体や支柱が多数必要であって費用がかかるとともに、傘体が低いうちは安定している
が、傘体が高くなると支柱が土壌に浅くなって不安定となって倒れやすくなる。
【特許文献１】実用新案登録第３０９２６２２号公報
【考案の開示】
【考案が解決しようとする課題】
【０００６】
そのため、本考案の解決すべき課題は、家庭菜園者等にとって安価に、かつトマト等を
ウィルスや害虫から保護でき、またトマト等の成育にしたがって容易に移動できて雨よけ
等がはかれる雨よけ具を開発することにあった。
【課題を解決するための手段】
【０００７】
本考案は、上記のような点に鑑みたもので、上記の課題を解決するために、トマト等の
栽培物の茎部に１０００〜２５００ｍｍ長さの支柱を土壌の地面に突き刺して立設可能と
し、雨よけ等のために２５０〜４００ｍｍ径位の大きさの笠状の雨よけ具をトマト等の成
育に合わせて上記地面に突き刺した支柱にそって順次上方へずらして移動して所定高さに
固定可能に上記支柱に装着するように形成したことを特徴とするトマト等の栽培用雨よけ
具を提供するにある。
【０００８】
また、２５０〜４００ｍｍ径位のプラスチックシートの笠状の雨よけ具本体の中央部に
５０〜１５０ｍｍ径位のプラスチックシートの補助シートの中央付近を雨よけ具本体に接
合して雨よけ具を形成し、このようにして形成した笠状の雨よけ具の中央部を開口したり
、切欠したりしておいて支柱に突き刺したりして支柱に貫通状態に装着して上記接合した
雨よけ具本体と補助シートとの間に紐やバンド等の締め付け具で雨よけ具を支柱に所定高
さに固定可能としたトマト等の栽培用雨よけ具を提供するにある。
【０００９】
また、周部に針金や竹材、合成樹脂材などのリング枠を取り付けた２５０〜４００ｍｍ
径位の軟質プラスチックシートの笠状の雨よけ具本体の中央部に５０〜１５０ｍｍ径位の
軟質プラスチックシートの補助シートの中央付近を雨よけ具本体に溶着して雨よけ具を形
成したトマト等の栽培用雨よけ具を提供するにある。
【００１０】
さらに、笠状の雨よけ具本体の周部にレインコートのように所定の長さに垂れ部を設け
たトマト等の栽培用雨よけ具を提供するにある。
【考案の効果】
【００１１】
本考案は、トマト等の栽培物の茎部に１０００〜２５００ｍｍ長さの支柱の下端側を土
壌の地面に突き刺して立設可能とし、雨よけ等のために２５０〜４００ｍｍ径位の大きさ
の笠状の雨よけ具をトマト等の成育に合わせて上記地面に突き刺した支柱にそって順次上
方へずらして移動して所定高さに固定可能に上記支柱に装着するように形成したので、ト
マト等の支柱に簡易かつ安価に笠状の雨よけ具を配設することができるとともに、トマト
等の成育に合わせて順次雨よけ具を支柱にそってずらして上部へ簡単に移動でき、トマト
等の新芽や新葉を大敵の雨や害虫から保護でき、しかも雨よけ具が２５０〜４００ｍｍ径
位なので、容易に根元に追肥料等も行うことができる。
【００１２】
また、２５０〜４００ｍｍ径位のプラスチックシートの笠状の雨よけ具本体の中央部に
５０〜１５０ｍｍ径位のプラスチックシートの補助シートの中央付近を雨よけ具本体に接
合して雨よけ具を形成することによって、安価に簡易に雨よけ具をつくることができる。
そして、このようにして形成した笠状の雨よけ具の中央部を開口したり、支柱に突き刺し
たりして支柱に貫通状態に装着して上記接合した雨よけ具本体と補助シートとの間に紐や
バンド等の締め付け具で雨よけ具を支柱に固定可能とすることによって、トマト等の成育
に合わせて簡単かつ安価に雨よけ具を支柱の上方へずらして順次移動して雨よけを行うよ
うにできる。
【００１３】
また、周部に針金や竹材、合成樹脂材などのリング枠を取り付けた２５０〜４００ｍｍ
径位の軟質プラスチックシートの笠状の雨よけ具本体の中央付近に５０〜１５０ｍｍ径位
の軟質プラスチックシートの補助シートの中央部を雨よけ具本体に溶着して雨よけ具を形
成することによって、トマト等の栽培物に優しく安価で簡易に雨よけ具をつくることがで
きる。
【００１４】
さらに、笠状の雨よけ具本体の周部にレインコートのように所定の長さに垂れ部を設け
ることによって、この垂れ部を介してより一層の新芽や新葉への雨よけ、虫よけをはかる
ことができる。
【考案を実施するための最良の形態】
【００１５】
本考案のトマト等の栽培用雨よけ具は、トマト等の栽培物の茎部に１０００〜２５００
ｍｍ長さの支柱の下端側を土壌の地面に突き刺して立設可能とし、雨よけ等のために２５
０〜４００ｍｍ径位の大きさの笠状の雨よけ具をトマト等の成育に合わせて上記地面に突
き刺した支柱にそって順次上方へずらして移動して所定高さに固定可能に上記支柱に装着
するように形成したことを特徴としている。
【００１６】
トマト等の栽培用雨よけ具１は、図１のように家庭菜園等の畑のトマト等の栽培物２の
土壌の地面の茎部に５〜２０ｍｍ径、１０００〜２５００ｍｍ長さのプラスチックやアル
ミニウム、鉄、木、竹等のパイプ状や棒状の支柱３をその下端側を所定深さに突き刺して
安定して垂設し、この支柱３に笠状の雨よけ具４をトマト等の栽培物２の成育に合わせて
支柱３にそって順次上方へずらして移動して所定高さに固定可能にし、雨よけがはかれる
ようにしている。
【００１７】
雨よけ具４は、図２のように２５０〜４００ｍｍ径位のとうめい軟質や可撓性のあるプ
ラスチックシートの笠状の雨よけ具本体５の中央部に５０〜１５０ｍｍ径位のプラスチッ
クシートの補助シート６の中央部分を接着剤や熱溶着等で接合し、この雨よけ具４の中央
部を開口したり、クロス状等に切欠しておいたりして支柱３に突き刺して支柱３に貫通状
態に装着し、上記接合した雨よけ具本体５と補助シート６との間に紐やバンド等の締め付
け具７で雨よけ具４を支柱３に所定高さに固定できるようにしている。
【００１８】
この雨よけ具４は、図３（ａ）、（ｂ）のように４００〜５００ｍｍ径位のビニルシー
トやポリビニルシート等の軟質や可撓性のあるプラスチックシートの雨よけ具本体５に針
金や竹材、合成樹脂材の２５０〜４００ｍｍ径位の大きさのリング枠８を雨よけ具本体５
の周部を折り曲げて縮径状にして接着したり、内装したりして取り付け、また５０〜１５
０ｍｍ径位のビニルシートやポリビニルシート等のプラスチックシートの補助シート６の
中央部分を上記雨よけ具本体５に接着剤や熱溶着等で接合して形成できる。
【００１９】
雨よけ具４を支柱３に図１のように貫通状態にするためには、図３のように予め中央部
にクロス状の切欠９を切り欠いてなどしておくのが好ましいが、使用時に適宜に中央を突
いたりして開口して支柱３に挿着することもできる。また、締め付け具７としては、通常
の紐やバンドでもよいが、公知の細い針金入りの樹脂テープが安くて、かつ縛りやすく、
解きやすくて好ましい。
【００２０】
支柱３は、トマト等の栽培物２の成育高さに対応する高さとするもので、上記した雨よ
け具４を貫装できるものならよいが、通常安価な合成樹脂材の筒や棒が好ましい。必要な
ら、下端部を尖鋭状としているのが、土壌に突き刺しやすくて好ましい。この支柱３には
、トマト等の茎を誘引可能に紐等で結びつけることができる。
【００２１】
なお、雨よけ具４のリング材８は、円形とするので体裁や強度において好ましいが、四
角形等の角形とすることも可能であり、また十字状に配置することも可能である。雨よけ
具４としては、２５０ｍｍより小さければ雨よけ効果が少なく、４００ｍｍより大きくな
ると邪魔になりやすいとともに施肥がしにくくて好ましくない。
【００２２】
この雨よけ具４は、０．２〜０．５ｍｍ厚、２５０〜４００ｍｍ径位の可撓性のあるビ
ニルシートやポリビニルシート等のプラスチックシートを笠状の形状を保てる雨よけ具本
体５として、上記のような針金や竹材、合成樹脂材のリング枠８を削除することも可能で
、この雨よけ具本体５の中央部に上記したように５０〜１５０ｍｍ径位の軟質のビニルシ
ートやポリビニルシート等のプラスチックシートの補助シート６の中央部分を上記雨よけ
具本体５に接着剤や熱溶着等で接合して形成することもできる。
【００２３】
また、図４（ａ）、（ｂ）のように笠状の雨よけ具４の周部にレインコートのように所
定の長さに垂れ部１０を設けることによって、垂れ部１０を介してより一層の雨よけや虫
よけをはかるようにできる。
【実施例】
【００２４】
図１〜図３は、本考案の一実施例であって、支柱３を６ｍｍ径の合成樹脂棒の２０００
ｍｍ長さのものとし、図３のように雨よけ具４を０．１ｍｍ厚、５００ｍｍ径の透明な軟
質のビニルシートの雨よけ具本体５に０．１ｍｍ厚、１００ｍｍ径の透明な軟質のビニル
シートの補助シート６をその中央付近を四角状に溶着して接合し、中央部に５ｍｍ長さの
クロス状の切欠９を切り欠いて設け、周部に２ｍｍ太さのビニールを被覆した針金の３０
０ｍｍ径のリング枠８を雨よけ具本体５の周辺を折り曲げてリング枠８を包むように縮径
状にして溶着して取り付けて、図２のようにドーム状の笠状に形成した。
【００２５】
このように形成した雨よけ具４を支柱３に挿通し、図１のように所定の高さで補助シー
ト６を支柱３にそうようにして針金入りテープの締め付け具７で支柱３に縛って固定し、
支柱３をそれぞれ所定のトマトの茎部に突き刺していくと、図１のようにトマトの雨よけ
ができ上がる。雨よけ具４は、トマトの成育に合わせて、点線で示したように締め付け具
７を適宜に解除して順次支柱３の上方にずらして移動して所定高さに固定していくことが
できる。
【００２６】
このように支柱３にビニルシートの笠状の雨よけ具４を貫装して雨よけ具４でトマトを
優しく保護でき、トマトの成育に合わせて簡単にずらして移動できて、トマトの新芽や新
葉の雨よけをすることができるとともに、装置が安価に作れて家庭菜園者等にとっても容
易に導入できて利用でき、大敵の雨や害虫から保護できてトマトの安定した収穫をはかる
ことができる。
【００２７】
なお、雨よけ具４は、０．３ｍｍ厚、３００ｍｍ径の扇状とした透明な可撓性のあるビ
ニルシートのプラスチックシートの雨よけ具本体５の中央部に、上記したように１００ｍ
ｍ径の軟質のビニルシートのプラスチックシートの補助シート６の中央部分を上記雨よけ
具本体５に溶着し、扇状とした雨よけ具本体５の側辺同志を接合して笠状に形成して使用
することもできる。
【００２８】
図４（ａ）、（ｂ）は、それぞれ本考案の他の実施例のもので、上記した笠状の雨よけ
具４の周囲にビニルシートの垂れ部１０をレインコートのように垂設し、栽培物２の成育
時に確実に雨よけするようにしたのである。なお、垂れ部１０の下部や周部に鳩目具やボ
タン、ボタン孔等の長さ調節具を設けて、図４（ａ）、（ｂ）のように垂れ部１２の長さ
を調節するようにできる。
【００２９】
上記では、主にトマトの栽培物について説明したが、本考案の趣旨にもとづいてなすび
、そら豆等の同様な他の栽培物にも適用することができる。
【図面の簡単な説明】
【００３０】
【図１】本考案の一実施例の雨よけ栽培状態の説明図、
【図２】同上の雨よけ具部の説明用側面図、
【図３】同上の雨よけ具部の平面図、
【図４】同上のそれぞれ他の実施例の雨よけ具の側面図（ａ）、（ｂ）。
【符号の説明】
【００３１】
１…栽培用雨よけ具        ２…栽培物              ３…支柱
４…雨よけ具              ５…雨よけ具本体        ６…補助シート
７…締め付け具            ８…リング枠
【図１】
0003112771.tif 000003
【図２】
0003112771.tif 000004
【図３】
0003112771.tif 000005
【図４】
0003112771.tif 000006